【手続補正書】
【提出日】平成15年10月8日(2003.10.8)
【手続補正１】
【補正対象書類名】特許請求の範囲
【補正対象項目名】全文
【補正方法】変更
【補正の内容】
【特許請求の範囲】
【請求項１】
非骨一体化型歯槽歯科準備インプラントを準備するための、歯根部が中空で、かつ部分的に多孔性である分離可能な冠状部および歯根部の使用。
【請求項２】
前記冠状部が好ましくは一時的セメントを用いて前記歯根部を被覆し、かつ封止することを特徴とする請求項１に記載されている使用。
【請求項３】
前記冠状部が梃子作業を実行することによって前記冠状部および前記歯根部の乖離を可能にするチャネルを備えていることを特徴とする請求項２に記載されている使用。
【請求項４】
前記冠状部が生体適合性材料、例えば樹脂または複合材から作られていることを特徴とする請求項２または３のいずれか一項に記載されている使用。
【請求項５】
前記冠状部が簡易メタクリル酸メチル樹脂または増量メタクリル酸メチル樹脂系複合材製であることを特徴とする請求項４に記載されている使用。
【請求項６】
前記歯根部が抜去歯の形に適した形をしており、優先的に歯周一体化型受容インプラントよりわずかに大きいことを特徴とする請求項１から５のいずれか一項に記載されている使用。
【請求項７】
前記歯根部が円筒形かわずかに円錐形であるか、あるいは特定の骨一体化型インプラントを受容するのに適した段付きであり、優先的に受容インプラントよりわずかに小さいことを特徴とする請求項１から５のいずれか一項に記載されている使用。
【請求項８】
前記歯根部が生体適合性材料、好ましくは生体適合性プラスチック、例えばポリカーボネト、ポリテトラフルオロエチレン、またはポリメタクリル酸メチルで作られていることを特徴とする請求項１から７のいずれかに一項記載されている使用。
【請求項９】
前記歯根部が１つまたはそれ以上の活性成分を収容することができる窩洞を含むことを特徴とする請求項１から８のいずれかに一項記載されている使用。
【請求項１０】
前記窩洞が区画に分割されており、各区画に、歯槽の所定の部分に作用する特定の活性成分を含むことができることを特徴とする請求項９に記載されている使用。
【請求項１１】
前記活性成分が固体または液体、ゲルまたはペーストの形態であるか、またはマイクロカプセル化されることを特徴とする請求項９または１０のいずれか一項に記載されている使用。
【請求項１２】
前記活性成分が少なくとも抗生物質、例えばテトラサイクリン、またはメトロニダゾル、および／または不鹸化トウモロコシ、大豆、またはアボガド、および／またはビタミン、および／または１つまたはそれ以上の成長因子、および／または１つまたはそれ以上の止血剤、および／または１つまたはそれ以上のホルモン、例えばデキタメタゾン、および／または必要ならば遺伝子工学によって得られる、インプラントの受容体部位を準備する１つまたはそれ以上の他の化合物を含むことことを特徴とする請求項９から１１のいずれか一項に記載されている使用。
【請求項１３】
前記歯根部が歯槽内での活性成分の効果的な拡散を確保するのに十分に大きい直径を有する孔またはチャネルを含むことを特徴とする請求項９から１２のいずれか一項に記載されている使用。
【請求項１４】
抜歯後の患者の審美的外観を維持するように意図された製品の準備のための請求項１から９のいずれか一項に記載されている非骨一体化型歯槽歯科準備インプラントの使用。
【請求項１５】
抜去歯の代用に適した、請求項１から１３のいずれか一項に記載されている歯槽準備インプラントのサイズを評価することを可能にする、生体適合材料から作られた、歯の冠状領域に配置された把持手段を含む使い捨て模型。
【請求項１６】
樹脂で作られていることを特徴とする請求項１５に記載されている模型。
【請求項１７】
単色であるが歯頸を見ることができることを特徴とする請求項１５または１６のいずれか一項に記載されている模型。
【請求項１８】
請求項１から１３のいずれか一項に記載されている一時的歯槽歯科準備インプラントの挿設のための準備キットであって、
−  適切な準備インプラントのサイズおよび／または形状、および従って最終インプラントのそれを評価することを可能にする１つまたはそれ以上の模型（好ましくは２６個の模型）および／または
−  請求項１から１３のいずれか一項に定義されている対応する形態の非骨一体化型歯槽歯科インプラントの、またはそのような準備インプラントの歯根部の１つまたはそれ以上の模型（好ましくは２６個の模型）および／または
−  縫合および部分咬合のための溝付き冠の１つまたはそれ以上の模型または／および
−  部分咬合または咬合を調整するための一時的冠の１つまたはそれ以上の模型（好ましくは４２個の模型）および／または
−  歯槽準備インプラントの中空歯根部内に挿入するように意図された１つまたはそれ以上の活性成分
を含む準備キット。
【請求項１９】
最終的インプラントを受容するように意図された歯槽の準備のために患者への一時的インプラント植立用に意図された組成物またはキットのための、分離可能な冠状部および歯根部から構成され、前記歯根部が中空かつ部分的に多孔性である請求項１から１３のいずれか一項に定義されている歯科インプラントの使用。
【請求項２０】
請求項１から１３のいずれか一項に記載された非骨一体化型インプラントを取り外した歯の歯槽の中へ挿入することを含む患者への歯科インプラント植立の方法。
【手続補正２】
【補正対象書類名】明細書
【補正対象項目名】００１２
【補正方法】変更
【補正の内容】
【００１２】
したがって、本願の１つの初期目的は、分離可能な冠状部および歯根部を形成すること、および歯根部が中空であり、かつ部分的に多孔性であることを特徴とする、一時的歯槽歯科準備インプラントを含む。本発明に係る歯科インプラントは一時的インプラント、すなわちその後のステップで最終インプラントを挿設することを意図して歯槽を準備することを意図したインプラントである。したがって、それは、最終インプラントの準備に必要な期間、一時的に患者に配置するように意図されており、インプラント植立の部位の準備により、治療の成功を増加させ、かつプロセスの全体的時間を短縮することを可能にする。一般的にそれは一時的な非骨一体化型のインプラント、すなわち骨に永久的に一体化されないインプラントを含む。
【手続補正３】
【補正対象書類名】明細書
【補正対象項目名】００４９
【補正方法】変更
【補正の内容】
【００４９】
【図１】エナメル質（ｅ）、象牙質（ｄ）、顎骨（ｏ）、歯肉（ｇ）、靭帯（ｌ）を含む天然歯の断面図である。
【図２】深存性う蝕、歯周ポケット、裂溝、破折、膿瘍、外傷性損傷など治療するには重篤すぎる病変に冒された歯の断面図である。
【図３】歯の冠状領域に対応する部分に配置された把持手段（ｍ）を含み、冒された歯の抜去後に、準備インプラントおよびしたがって歯の代用のために必要な最終インプラントのサイズを計測することを可能にする使い捨て樹脂模型の例の断面図である。この模型は単色とすることができるが、歯頸が見えるように歯を歯肉に挿入しなければならない。
【図４】一時的歯槽歯科準備インプラントの断面図である。それは、最初に決定された最終インプラントの挿設に適する歯槽のサイズを維持することを可能にし、かつ治癒プロセスを管理する。それは中空であり、孔を介して、最終インプラントを受容するための部位を準備する活物質をゆっくり放出することを可能にする。それは、例えば歯肉に縫合するかまたは隣接歯に固着することのできる樹脂または複合材料の溝付きの冠によって被覆または封止される。この構成は、美容上の理由から抜去した歯の即座の代用を可能にする。